(57)【要約】【課題】一般的な家庭用トイレのレイアウトにおいて、効率よく体組成計を収納できる体組成計収納キャビネットを提供する。【解決手段】収納キャビネットと、前記収納キャビネットの上に設けられた手洗い器と、前記収納キャビネットに内蔵された前記手洗い器の排水トラップと、体組成計を保持するパネルを床面に対して略垂直方向の姿勢で前記収納キャビネットの中に収納した収納状態から、前記収納キャビネットから離れた床面上の使用状態まで前記パネルを移動させ、前記使用状態において、前記パネルを床面に対して水平方向の姿勢として測定可能とする移動機構と、を備えたことを特徴とする体組成計収納キャビネットが提供される。【選択図】図１
2009066349.tif 000002
【特許請求の範囲】
【請求項１】
収納キャビネットと、
前記収納キャビネットの上に設けられた手洗い器と、
前記収納キャビネットに内蔵された前記手洗い器の排水トラップと、
体組成計を保持するパネルを床面に対して略垂直方向の姿勢で前記収納キャビネットの中に収納した収納状態から、前記収納キャビネットから離れた床面上の使用状態まで前記パネルを移動させ、前記使用状態において、前記パネルを床面に対して水平方向の姿勢として測定可能とする移動機構と、
を備えたことを特徴とする体組成計収納キャビネット。
【請求項２】
前記移動機構は、
前記収納キャビネットに対して開閉可能に軸支され、その裏面側に前記体組成計を保持する下開きパネルと、
開いた状態の前記下開きパネルを水平方向にスライドさせるレールと、
を有することを特徴とする請求項１記載の体組成計収納キャビネット。
【請求項３】
前記移動機構は、
第１のパネルと、
前記第１のパネルの一端を前記収納キャビネットに対して回動可能に連結する第１の連結部と、
第２のパネルと、
前記第１のパネルの他端と前記第２のパネルの一端とを回動可能に連結する第２の連結部と、
前記体組成計を前記第２のパネルに保持させる保持部と、
を有し、
前記第２の連結部を中心として前記第１のパネルと前記第２のパネルとを折りたたんだ状態において、前記体組成計は前記床面に対して略垂直方向の姿勢で前記収納キャビネットの中に収納され、
前記第２の連結部を中心として前記第１のパネルと前記第２のパネルとを略水平に延在させた状態において、前記体組成計は前記床面に対して水平方向の姿勢となることを特徴とする請求項１記載の体組成計収納キャビネット。
【請求項４】
前記移動機構は、
前記パネルに接続されるワイヤと、
前記収納キャビネットの上部に設けられたワイヤ巻き取り機構と、
前記パネルを前記床面に対して略垂直方向の姿勢から前記水平方向の姿勢へと連続的に切り替え可能な案内手段と、
を有することを特徴とする請求項１記載の体組成計収納キャビネット。
【請求項５】
前記床面に対して略垂直方向の姿勢において前記体組成計を固定し、前記床面に対して水平方向の姿勢において前記体組成計の固定を解除する保持部をさらに備えたことを特徴とする請求項１〜３のいずれか１つに記載の体組成計収納キャビネット。
【請求項６】
収納キャビネットと、
前記収納キャビネットの上に設けられた手洗い器と、
前記収納キャビネットに内蔵された前記手洗い器の排水トラップと、
前記収納キャビネットに対して開閉可能に軸支され、裏面に体組成計を保持する下開き扉であって、床面に対して略垂直方向の姿勢で閉止され、開端角度が規制されて開放されることを特徴とする体組成計収納キャビネット。
【請求項７】
前記体組成計が収納された状態において前記下開き扉が開く方向に前記体組成計を付勢する付勢手段を有することを特徴とする請求項２または５に記載の体組成計収納キャビネット。
【請求項８】
前記体組成計をさらに備えたことを特徴とする請求項１〜７のいずれか１つに記載の体組成計収納キャビネット。
【発明の詳細な説明】
【技術分野】
【０００１】
本発明は、体組成計収納キャビネットに関し、具体的には、体重、体脂肪率などを測定可能とする体組成計を収納させる体組成計収納キャビネットに関する。
【背景技術】
【０００２】
トイレにおいて、排泄物から生体情報を取得して健康管理を行う試みがある。この試みに伴い、トイレ内において体重、体脂肪率、および血圧などを測定可能とする技術が提供されている（例えば、特許文献１）。特許文献１に記載された技術においては、体重計はトイレの床面の下に埋め込まれており、この体重計の上にはカバーパネルが設けられていた。そして、このカバーパネルの上に人が乗ることによって、体重を測定していた（例えば、特許文献２）。
【０００３】
ところで、最近の体重計は体重だけではなく、人体のインピーダンスを測定して体脂肪率を算出する、いわゆる体組成計が主流となっている。体組成計において体重および体脂肪率などを測定する場合においては、人は裸足で体組成計に乗らなければならない。しかし、特許文献１および特許文献２に記載された体重計においては、体重計の上にカバーパネルが設けられているため、体重計に直接裸足で乗ることはできなかった。また、カバーパネルを設けなければ、体重計に直接裸足で乗ることは可能となるが、体重計が床面の下に埋め込まれているため、外観を損なう、または清掃しにくくなる、という点では改善の余地があった。
【０００４】
そこで、トイレ内に体組成計を出し入れ可能に収納することが求められている。  
一般的な家庭用トイレは、一方の側壁に大便器が設置され、大便器に隣接する側壁に手洗い器が設置されている。また、大便器と正対する壁面、または左右いずれかの側壁にトイレのドアが設置されている。このような一般的な家庭用トイレのレイアウトに体組成計を効率よく収納するためには、収納時に体組成計を床面に対して垂直方向に立てれば、トイレにおける体組成計の占有面積を少なくできるため好ましい（例えば、特許文献３、４）。
【０００５】
しかし、前述のようなトイレのレイアウトにおいて、特許文献３に記載された構造を採用すると、トイレ内に袖枠が突出するため、トイレのスペースが狭くなってしまうという問題がある。また、特許文献４に記載された構造を採用すると、トイレの壁を剥がす必要があり、工事費用が余計にかかるという問題がある。
【特許文献１】特開２００６−２６３３９１号公報
【特許文献２】特開２００５−２８３４９８号公報
【特許文献３】特開平７−１９８４６８号公報
【特許文献４】実開平６−８４３１８号公報
【発明の開示】
【発明が解決しようとする課題】
【０００６】
本発明は、係る課題の認識に基づいてなされたものであり、一般的な家庭用トイレのレイアウトにおいて、効率よく体組成計を収納できる体組成計収納キャビネットを提供する。
【課題を解決するための手段】
【０００７】
本発明の一態様によれば、収納キャビネットと、前記収納キャビネットの上に設けられた手洗い器と、前記収納キャビネットに内蔵された前記手洗い器の排水トラップと、体組成計を保持するパネルを床面に対して略垂直方向の姿勢で前記収納キャビネットの中に収納した収納状態から、前記収納キャビネットから離れた床面上の使用状態まで前記パネルを移動させ、前記使用状態において、前記パネルを床面に対して水平方向の姿勢として測定可能とする移動機構と、を備えたことを特徴とする体組成計収納キャビネットが提供される。
【０００８】
また、本発明の他の一態様によれば、収納キャビネットと、前記収納キャビネットの上に設けられた手洗い器と、前記収納キャビネットに内蔵された前記手洗い器の排水トラップと、前記収納キャビネットに対して開閉可能に軸支され、裏面に体組成計を保持する下開き扉であって、床面に対して略垂直方向の姿勢で閉止され、開端角度が規制されて開放されることを特徴とする体組成計収納キャビネットが提供される。
【発明の効果】
【０００９】
本発明によれば、一般的な家庭用トイレのレイアウトにおいて、効率よく体組成計を収納できる体組成計収納キャビネットが提供される。
【発明を実施するための最良の形態】
【００１０】
以下、本発明の実施の形態について図面を参照しつつ説明する。なお、各図面中、同様の構成要素には同一の符号を付して詳細な説明は適宜省略する。
【００１１】
図１は、本発明の実施の形態に係る体組成計収納キャビネットが設置されたトイレ室を例示する模式図である。  
図１に表したトイレ室においては、側壁１０ａの前に大便器８が設置され、大便器８の側方の側壁１０ｂに体組成計収納キャビネット２が設置されている。また、大便器８と正対する側壁（図示せず）、または大便器８の側方の側壁１０ｃのいずれかの側壁にトイレのドア（図示せず）が設置されている。
【００１２】
図１に表したトイレ室においては、洗浄機構がいわゆる「ロータンク式」の大便器を例示しているが、この洗浄機構はロータンクを用いない、いわゆる「水道直圧式」であってもよい。また、大便器８は、便座に座った使用者の「おしり」などに向けて水を噴射し、「おしり」の洗浄を可能とした温水洗浄便座装置９を有していてもよい。
【００１３】
体組成計収納キャビネット２の上部においては、手洗い器６が設置されており、この手洗い器６は、手洗いボウル４と水栓５とを有している。体組成計収納キャビネット２の内部においては、体組成計１が収納されている。さらに、体組成計収納キャビネット２の側面においては、トイレットペーパー１９を保持するペーパーホルダ１８が付設されている。なお、手洗器６の下方には図示しない止水栓、排水トラップ、および排水管が設けられている。
【００１４】
側壁１０ｂにおいては、側壁１０ｂに沿って延在した棚板１６が設置されていてもよい。さらに、側壁１０ｂにおいては、鏡１２が設置されていてもよいし、側壁１０ａの上部においては、窓１４が設置されていてもよい。
【００１５】
図２は、本発明の第１の実施の形態に係る体組成計収納キャビネットの模式図である。図２（ａ）は、体組成計収納キャビネットを前方から眺めた模式図であり、図２（ｂ）は、体組成計収納キャビネットを右側方から眺めた模式図である。なお、各方向の関係は、各図面に表した矢印の通りである。また、図２（ａ）、図２（ｂ）に表した体組成計収納キャビネット２においては、説明の便宜上、扉３が開いた状態を表しており、かつ、体組成計収納キャビネット２の右側面の壁は省略して表している。
【００１６】
体組成計収納キャビネット２の内部においては、体組成計１を収納するための収納ボックス３５が設けられている。収納ボックス３５は、支持部材３４によって支持されている。収納ボックス３５と支持部材３４とは、回転軸３３によって締結されており、回転軸３３を中心に回動可能な構造を有している。収納ボックス３５の内部においては、体組成計１と、体組成計１を保持するための体組成計保持部３１（パネル）と、が設けられている。体組成計保持部３１は、取っ手３７と、車輪３８と、足３９と、を有している。体組成計収納キャビネット２の後方においては、収納ボックス３５をスライドさせるためのスライドレール３６が設けられている。
【００１７】
体組成計収納キャビネット２の側面においては、ロック解除レバー３２が設けられている。ロック解除レバー３２は、収納ボックス３５に締結され、前後方向にスライドする構造を有している。ロック解除レバー３２と支持部材３４とは、スライドレール３６に嵌合された構造を有しており、収納ボックス３５と共に上下方向にスライドする構造を有している。
【００１８】
図３は、本実施形態に係るロック解除レバーを表した拡大模式図である。図３（ａ）は、ロック解除レバーを前方から眺めたＡ−Ａ断面拡大図であり、図３（ｂ）は、ロック解除レバーを右側方から眺めた拡大模式図である。  
ロック解除レバー３２は、つば３２ａと、つば３２ｂと、軸３２ｃと、軸３２ｄと、を有している。つば３２ａは、つば３２ｂに対して大きな径を有している。軸３２ｃは、軸３２ｄに対して小さな径を有している。
【００１９】
スライドレール３６は、レール孔３６ａと、レール溝３６ｂと、を有している。レール孔３６ａは、つば３２ｂの径よりも大きく、かつ、つば３２ａの径よりも小さな径を有している。また、レール溝３６ｂの幅は、軸３２ｃの径よりも大きく、かつ、軸３２ｄよりも小さな幅寸法を有している。
【００２０】
ロック解除レバー３２を前方へ引くと、つば３２ｂの径よりもレール孔３６ａの径の方が大きいため、つば３２ｂは、レール孔３６ａを前方へ通過する。これに対して、つば３２ａの径は、レール孔３６ａの径よりも大きいため、つば３２ａがレール孔３６ａのところに移動するまでロック解除レバー３２を前方へ引くと、ロック解除レバー３２の前方への移動は止まることになる。
【００２１】
ロック解除レバー３２を前方へ引く前段階においては、レール溝３６ｂの幅寸法よりも大きな径を有する軸３２ｄが、レール溝３６ｂの上方に位置していたため、収納ボックス３５が下方へスライドすることなく停止していた。これに対して、ロック解除レバー３２を前方へ引くことによって、つば３２ａがレール孔３６ａのところまで移動して、軸３２ｃがレール溝３６ｂの上方に位置することになり、軸３２ｃの径はレール溝３６ｂの幅寸法よりも小さいため、軸３２ｃはレール溝３６ｂの間を移動することになる。これによって、収納ボックス３５はロック解除レバー３２と支持部材３４と共に、下方へスライドすることになる。
【００２２】
図４は、本実施形態に係る収納ボックスが下方へスライドした時の体組成計収納キャビネットを右側方から眺めた模式図である。  
また、図５は、図４に表した体組成計収納キャビネットにおけるロック解除レバーを表した拡大模式図であり、図５（ａ）は、ロック解除レバーを前方から眺めた拡大模式図であり、図５（ｂ）は、ロック解除レバーを図５（ａ）におけるＢ−Ｂで切断した断面模式図である。  
なお、図４に表した体組成計収納キャビネットにおいては、説明の便宜上、扉３が開いた状態を表しており、かつ、体組成計収納キャビネット２の右側面の壁は省略して表している。
【００２３】
ロック解除レバー３２を前方へ引くと、前述の通り、収納ボックス３５は、スライドレール３６に沿って下方へスライドする。収納ボックス３５は、体組成計収納キャビネット２の最下端までスライドすると、収納ボックス３５のスライドは停止する。この時、ロック解除レバー３２が位置する箇所において、スライドレール３６はレール孔３６ｃを有している。レール孔３６ｃは、つば３２ａの径よりも大きな径を有しているため、ロック解除レバー３２をさらに前方へ引くと、つば３２ａはレール孔３６ｃを前方へ通過し、スライドレール３６から収納ボックス３５が分離する。
【００２４】
収納ボックス３５がスライドレール３６から分離すると、収納ボックス３５は回転軸３３を中心として回動することになる。支持部材３４は、スライドレール３６に嵌合されており回動しない構造を有しているため、収納ボックス３５と共には回動しない。
【００２５】
図６は、本実施形態に係る収納ボックスが、床面に対して水平方向になるまで回動した時の体組成計収納キャビネットを右側方から眺めた模式図である。  
また、図７は、図６に表した収納ボックスを斜め上方から眺めた模式図である。  
また、図８は、本実施形態に係る体組成計保持部を前方へスライドさせた時の体組成計収納キャビネットを右側方から眺めた模式図である。  
なお、図６、８に表した体組成計収納キャビネットにおいては、説明の便宜上、扉３が開いた状態を表しており、かつ、体組成計収納キャビネット２の右側面の壁は省略して表している。
【００２６】
図６に表した体組成計収納キャビネット２において、収納ボックス３５は床面２０に接地するまで回転軸３３を中心として回動する。これによって、収納ボックス３５の内部に設けられた体組成計１および体組成計保持部３１は、床面２０に対して水平方向の姿勢となる。
【００２７】
収納ボックス３５が床面２０に対して水平方向の姿勢となる状態で、収納ボックス３５を斜め上方から眺めた場合において、収納ボックス３５の前方には側壁がない。従って、体組成計保持部３１に設けられた取っ手３７を前方に引くことで、体組成計１および体組成計保持部３１を自由に前方へ引き出すことが可能となっている。また、収納ボックス３５は、上方においても側壁がないため、取っ手３７に手を掛けやすい構造となっている。
【００２８】
体組成計保持部３１を前方へ引き出すと、体組成計保持部３１は体組成計１と共に収納ボックス３５から前方へ出てくる。体組成計保持部３１に設けられた足３９は、収納ボックス３５の内部に設けられた引出レール４０に固定されている。引出レール４０は、固定側レール４０ａと、可動側レール４０ｂと、を有している。すなわち、足３９は引出レール４０に設けられた可動側レール４０ｂに固定されている。可動側レール４０ｂは、適宜設定された距離だけスライドして停止する構造を有しており、さらに、床面２０に接触しない構造を有している。
【００２９】
体組成計保持部３１に設けられた車輪３８は、体組成計保持部３１が床面２０へと滑らかに引き出される機能を果たすと共に、床面２０と引出レール４０との高低差をなくし、体組成計１を床面２０に対して水平方向の姿勢に保つ機能を果たしている。  
体組成計保持部３１が適宜設定された距離だけ収納ボックス３５から引き出された後においては、体組成計保持部３１はロック機構（図示せず）によって固定され、体組成計１が動くことなく安全に体重等を測定することが可能となる。
【００３０】
次に、本実施形態に係る体組成計収納キャビネットの動作について説明する。  
まず、体組成計１および体組成計保持部３１は、床面２０に対して垂直方向の姿勢となるように体組成計収納キャビネット２に収納されている。体組成計１の使用者は、体組成計収納キャビネット２の前面に設けられた扉３を開く。この場合においては、スライドレール３６に設けられたレール溝３６ｂの上方にロック解除レバー３２に設けられた軸３２ｄが位置している。軸３２ｄの径は、レール溝３６ｂの幅寸法に対して大きいため、レール溝３６ｂを通過することはできず、収納ボックス３５が体組成計収納キャビネット２の下方へスライドすることはない。
【００３１】
続いて、体組成計収納キャビネット２の側面に設けられたロック解除レバー３２を前方へ引く。この場合において、ロック解除レバー３２に設けられた軸３２ｃが、レール溝３６ｂの上方に位置するまで、ロック解除レバー３２を前方へ引く必要がある。つば３２ａの径が、レール孔３６ａの径に対して大きいため、ロック解除レバー３２が止まるまで前方へ引き出せばよいことになる。
【００３２】
ロック解除レバー３２が止まるまで前方へ引き出すと、軸３２ｃの径が、レール溝３６ｂの幅寸法よりも小さいため、軸３２ｃがレール溝３６ｂの間を通過することになる。これによって、収納ボックス３５は体組成計収納キャビネット２の下方へ向かってスライドする。ロック解除レバー３２と支持部材３４とは、スライドレール３６に嵌合された構造を有しているため、収納ボックス３５と共に、スライドレール３６に沿って体組成計収納キャビネット２の下方へ向かってスライドする。
【００３３】
収納ボックス３５が、体組成計収納キャビネット２の最下端までスライドすると、収納ボックス３５は、体組成計１が床面２０に対して垂直方向の姿勢となりつつ、一旦スライドが停止する。この場合において、ロック解除レバー３２が存在する位置に、スライドレール３６に設けられたレール孔３６ｃが存在することになる。レール孔３６ｃの径は、ロック解除レバー３２に設けられたつば３２ａの径に対して大きいため、ロック解除レバー３２をさらに前方へ引くと、つば３２ａがレール孔３６ｃを前方へ通過することになる。これによって、収納ボックスがスライドレール３６から分離する。
【００３４】
収納ボックス３５がスライドレール３６から分離すると、収納ボックス３５の内部に設けられた体組成計１および体組成計保持部３１と共に、回転軸３３を中心として回動する。これに対して、支持部材３４は、スライドレール３６に嵌合された構造を有しているため、収納ボックス３５と共には回動しない。
【００３５】
収納ボックス３５がスライドレール３６から分離すると、収納ボックス３５は、床面２０に接地するまで回動する。続いて、体組成計保持部３１に設けられた取っ手３７に手を掛けて体組成計保持部３１を前方へ引き出す。
【００３６】
体組成計保持部３１を前方へ引き出すと、体組成計保持部３１は体組成計１と共に収納ボックス３５から前方へ出てくる。体組成計保持部３１が固定された可動側レール４０ｂは適宜設定された距離だけスライドして停止する構造を有しているため、これに伴い、体組成計保持部３１のスライドも停止することになる。
【００３７】
体組成計保持部３１は車輪３８を有しているため、体組成計保持部３１が床面２０へと滑らかに引き出されると共に、床面２０と引出レール４０との高低差がなくなり、体組成計１および体組成計保持部３１は床面２０に対して水平方向の姿勢に保たれる。また、体組成計保持部３１が適宜設定された距離だけ収納ボックス３５から引き出された後においては、体組成計保持部３１はロック機構（図示せず）によって固定され、体組成計１が動くことなく安全に体重等を測定することが可能となる。
【００３８】
以上説明したように、本実施形態によれば、体組成計１が体組成計収納キャビネットの内部に収納されている場合においては、体組成計１および体組成計保持部３１が床面２０に対して垂直方向の姿勢になるように収納されているため、一般的な家庭用トイレのレイアウトにおいて、効率よく体組成計を収納することができる。
【００３９】
また、手洗いボウル４は体組成計収納キャビネット２の前端よりも前方に突出していることが多く、体組成計収納キャビネット２から離れた前方位置まで体組成計１を移動させないと、体組成計１の使用時において、人体が手洗いボウル４に接触する可能性があった。これによって、体重および体脂肪率などの測定精度が悪化する可能性があった。さらに、体組成計１の結果表示部５０（図９参照）が手洗いボウル４によって遮蔽されて、測定結果を見づらくなる可能性もあった。
【００４０】
これに対して、本実施形態によれば、体組成計収納キャビネット２から離れた前方位置まで体組成計１および体組成計保持部３１を移動させるための引出レール４０および車輪３８などの移動機構を設けているため、体組成計１の使用時において、人体が手洗いボウル４に接触することがない。これによって、体重および体脂肪率などの測定精度が悪化することがない。さらに、体組成計１の結果表示部５０（図９参照）に表示された測定結果を見づらくなることもない。
【００４１】
次に、本実施形態に係る体組成計の固定機構について説明する。  
図９は、本実施形態に係る体組成計を斜め上方から眺めた模式図である。  
また、図１０は、本実施形態に係る体組成計に使用者の足を乗せた状態を斜め上方から眺めた模式図である。  
また、図１１は、本実施形態に係る体組成計の裏面を斜め上方から眺めた模式図である。
【００４２】
体組成計１の後方中央部においては、結果表示部５０が設けられている。この結果表示部５０の周りにおいては、各種設定スイッチ５１が設けられている。図９に表した体組成計１においては、各種設定スイッチ５１が６個設けられているが、これに限定されるわけではなく、例えば５個設けられていてもよい。体組成計１の前後方および左右側方においては、電極板５２ａ、５２ｂ、５２ｃ、５２ｄが設けられている。この電極板５２ａ、５２ｂ、５２ｃ、５２ｄは、使用者の足のつま先５４ａ、５４ｃ及びかかと５４ｂ、５４ｄを乗せる部分である。なお、図９に表した体組成計１においては、電極板５２ａ、５２ｂ、５２ｃ、５２ｄは４個設けられているが、これに限定されるわけではなく、例えば、電極板５２ａと電極板５２ｂとが一体、および電極板５２ｃと電極板５２ｄとが一体、となっていてもよい。体組成計１の前方側面部においては、操作スイッチ５３が設けられている。図９に表した体組成計１においては、操作スイッチ５３が３個設けられているが、これに限定されるわけではなく、例えば５個設けられていてもよい。
【００４３】
体組成計１を使用する場合においては、電極板５２ａにつま先５４ａを、電極板５２ｂにかかと５４ｂを、電極板５２ｃにつま先５４ｃを、電極板５２ｄにかかと５４ｄを、合わせて乗る必要がある。電極板５２ａ、５２ｂ、５２ｃ、５２ｄが設けられた面（便宜上、「表面」と称す）に障害物があると、体組成計１での計測時に、使用者の脚が障害物に触れて測定精度が悪くなる。従って、体組成計１を体組成計保持部３１に固定する場合においては、表面およびその周囲に障害物となる固定機構を設けることはできない。さらに、表面の高さよりも低い位置に固定機構を設ける必要がある。
【００４４】
体組成計１の測定は、操作スイッチ５３を押すことから始まる。操作スイッチ５３の周囲に障害物があると、操作スイッチ５３を押すことができないため、測定を開始することができない。従って、操作スイッチ５３の周囲に障害物となる固定機構を設けることはできない。
【００４５】
電極板５２ａ、５２ｂ、５２ｃ、５２ｄが設けられた面と対向する面（便宜上、「裏面」と称す）においては、電池５７を設置するための電池ボックス５５が設けられている。電池ボックス５５は、電池ボックス５５から電池５７が外れないようにするための電池ボックス蓋５６を有している。
【００４６】
電池ボックス５５が体組成計１の裏面に設けられているため、使用者が電池５７を交換する時においては、体組成計１が体組成計保持部３１に固定されている状態から裏返して交換作業を行う必要がある。従って、体組成計１が体組成計保持部３１からすぐに外せる状態になる固定機構とする必要がある。
【００４７】
図１２は、本実施形態に係る体組成計の固定機構が床面に対して垂直方向の姿勢の場合の模式図である。図１２（ａ）は、固定機構を上方から眺めた模式図であり、図１２（ｂ）は、固定機構を右側方から眺めた模式図である。  
また、図１３は、本実施形態に係る体組成計の固定機構の回動途中の模式図である。  
また、図１４は、本実施形態に係る体組成計の固定機構が床面に対して水平方向の姿勢の場合の模式図である。図１４（ａ）は、固定機構を上方から眺めた模式図であり、図１４（ｂ）は、固定機構を右側方から眺めた模式図である。
【００４８】
収納ボックス３５においては、体組成計１の左右側面に位置する箇所に固定つめ７０が設けられている。この固定つめ７０によって、体組成計１および体組成計保持部３１が床面２０に対して垂直方向の姿勢に収納されているときの前後方向の移動を抑制している。また、体組成計１の下方側面に位置する箇所にストッパ７１が設けられている。このストッパ７１によって、体組成計１および体組成計保持部３１が床面２０に対して垂直方向の姿勢に収納されているときの上下方向の移動を抑制している。
【００４９】
さらに、収納ボックス３５においては、体組成計保持部３１の上方付近に位置する箇所に開閉レバー７２が設けられている。また、体組成計保持部３１の前面の中央付近に位置する箇所に設置用足７３が設けられている。体組成計１および体組成計保持部３１が床面２０に対して垂直方向の姿勢に収納されている場合においては、この設置用足７３の接地面７３ａは、前方から直接見えないようになっている。
【００５０】
支持部材３４の上方部においては、開閉つめ７４が設けられている。この開閉つめ７４と開閉レバー７２とが嵌合することによって、収納ボックス３５が床面２０に対して垂直方向の姿勢を保持でき、振動などで収納ボックス３５が回動するのを抑制している。ここで、図４に表した体組成計収納キャビネット２において説明したように、ロック解除レバー３２がスライドレール３６から離れると、収納ボックス３５が回動を始める機構としてもよい。但し、例えば地震などの振動によって収納ボックス３５が自動的に回動するのを防止するためには、開閉レバー７２と開閉つめ７４との嵌合によって収納ボックス３５を固定しておくことが好ましい。
【００５１】
体組成計１の使用者は、まず、収納ボックス３５の前面に設けられた開閉レバー７２を前方へ引く。開閉レバー７２を前方へ引くと、開閉レバー７２と開閉つめ７４との嵌合が外れ、収納ボックス３５のロックが解除される。収納ボックス３５のロックが解除されると、収納ボックス３５、およびその内部に収納されている例えば体組成計１などが回動を始める。収納ボックス３５は、回転軸３３に設けられたソフト閉止（図示せず）またはバネ機構（図示せず）によって、ゆっくりと回動していく。
【００５２】
収納ボックス３５の回動途中において、収納ボックス３５に連動して、設置用足７３が回動を始め、接地面７３ａが下方を向くように固定される。この設置用足７３の回動は、おもり（図示せず）などを設けて、設置用足７３の自重によって接地面７３ａが下方を向くようにしてもよいし、回動機構（図示せず）を設けて、接地面７３ａが下方を向くようにしてもよい。
【００５３】
さらに、収納ボックス３５の回動途中において、収納ボックス３５に連動して、体組成計１および体組成計保持部３１を固定している固定つめ７０が回動を始める。この固定つめ７０は、収納ボックス３５の内部に引き込まれる機構としてもよい。
【００５４】
設置用足７３の接地面７３ａが床面２０に設置すると、体組成計１および体組成計保持部３１は、床面２０に対して水平方向の姿勢となる。この時、設置用足７３によって、収納ボックス３５が床面２０から少し浮いた状態となるため、収納ボックス３５の前面が床面２０に接触することで汚れが付着するのを防止することができる。また、収納ボックス３５が床面２０に対して水平方向の姿勢に保持される機能も果たしている。
【００５５】
体組成計１および体組成計保持部３１は、床面２０に対して水平方向の姿勢となると、後述する機構によって、固定つめ７０は自動的に解除される。体組成計１および体組成計保持部３１は引出レール４０に沿って移動することができるようになる。使用者は体組成計保持部３１に設けられた取っ手３７に手を掛けて、体組成計１を引出レール４０に沿って前方へ引き出すことで、体組成計１の電源を入れた後、体重等を測定することが可能となる。
【００５６】
次に、具体例を参照しつつ、本実施形態における固定つめの回動機構について説明する。  
図１５は、本実施形態の具体例に係る固定つめの回動機構を例示する模式図である。  
図１５に表した固定つめの回動機構は、収納ボックス３５が床面２０に対して垂直方向の姿勢に収納されている状態を表している。本具体例の固定つめ７０は、体組成計１の左側方に位置している。
【００５７】
本具体例の回動機構は、固定つめ７０と、回転軸３３と、歯車７６と、歯車７７と、歯車７８と、軸７９と、を有する。歯車７６は回転軸３３に締結されている。この歯車７６は、収納ボックス３５の回動と連動して回動する機構となっている。固定つめ７０の回動機構を右側方から眺めた場合において、収納ボックス３５が回動すると、回転軸３３に締結された歯車７６は、反時計回りの回転駆動を有する。歯車７６の回転駆動は歯車７７へと伝達される。歯車７６は反時計回りの回転駆動を有するため、歯車７７は時計回りの回転駆動を有することになる。さらに、歯車７７の回転駆動は、歯車７８へと伝達される。歯車７７、７８は、例えば傘歯車など構造を有し、回転駆動が９０度変換される機構となっている。
【００５８】
固定つめ７０の回動機構を上方から眺めた場合において、歯車７７の回転駆動が歯車７８に伝達されると、歯車７８は反時計回りの回転駆動を有することになる。軸７９は、一方の端部において歯車７８が締結されており、他方の端部において固定つめ７０が締結されている。歯車７７から歯車７８へと伝達された回転駆動は、軸７９へと伝達される。固定つめ７０の回動機構を上方から眺めた場合において、歯車７８は反時計回りの回転駆動を有するため、軸７９は、歯車７８と同様に、反時計回りの回転駆動を有する。固定つめ７０は、軸７９に締結されているため、軸７９が反時計回りの回転駆動を有すると、反時計回りに回動することになる。
【００５９】
以上の回動機構によって、収納ボックス３５の回動と連動して固定つめ７０が回動し、収納ボックス３５が床面２０に対して水平方向の姿勢になった時に、固定つめ７０は体組成計１および体組成計保持部３１から自動的に解除される。  
なお、図１５に表した回動機構は、体組成計１の左側方に位置する回動機構であるが、体組成計１の右側方に位置する回動機構は、歯車７７と歯車７８との間にもう１つの歯車をさらに有していればよい。そうすることで、固定つめ７０の回動機構を上方から眺めた場合において、固定つめ７０は時計回りに回動することになる。
【００６０】
本具体例の回動機構によれば、収納ボックス３５が床面２０に対して水平方向の姿勢になった時に、固定つめ７０は体組成計１および体組成計保持部３１から自動的に解除され、体組成計１の表面よりも低い位置に固定つめ７０が位置することになるため、使用者の脚が固定つめ７０に触れることはなく、体組成計１の測定精度が悪くなることはない。
【００６１】
さらに、固定つめ７０は、体組成計１の左右側方に位置しているため、操作スイッチ５３を押す動作を阻害することがない。体組成計１が固定つめ７０の固定から解除されれば、体組成計１は自由に移動させることができるため、電池５７を交換する作業も容易にできる。
【００６２】
図１６は、本実施形態の他の具体例に係る固定つめの回動機構を例示する模式図である。  
図１６に表した固定つめの回動機構は、収納ボックス３５が床面２０に対して垂直方向の姿勢に収納されている状態を表している。本具体例の固定つめ７０は、体組成計１の左側方に位置している。
【００６３】
本具体例の回動機構は、固定つめ７０と、回転軸３３と、ワイヤ８１と、プーリ８２と、を有する。また、固定つめ７０は、軸８３を有する。ワイヤ８１の一方の端部は、回転軸３３に締結されており、他方の端部は、プーリ８２を通して固定つめ７０に締結されている。固定つめ７０の回動機構を右側方から眺めた場合において、収納ボックス３５が回動すると、回転軸３３は反時計回りの回転駆動を有する。ワイヤ８１は回転軸３３に締結されているため、回転軸３３が反時計回りの回転駆動を有すると、ワイヤ８１は回転軸３３に巻き取られていく。
【００６４】
ワイヤ８１が回転軸３３に巻き取られていくと、ワイヤ８１の他方の端部に締結された固定つめ７０は、ワイヤ８１に引っ張られる。軸８３は、収納ボックス３５にはめ込まれているため、固定つめ７０の回動機構を上方から眺めた場合において、固定つめ７０は反時計回りに回動することになる。
【００６５】
以上の回動機構によって、収納ボックス３５の回動と連動して固定つめ７０が回動し、収納ボックス３５が床面２０に対して水平方向の姿勢になった時に、固定つめ７０は体組成計１および体組成計保持部３１から自動的に解除される。  
なお、図１６に表した回動機構は、体組成計１の左側方に位置する回動機構であるが、体組成計１の右側方に位置する回動機構は、本具体例の回動機構を鏡面対称となるレイアウトにすればよい。そうすることで、固定つめ７０の回動機構を上方から眺めた場合において、固定つめ７０は時計回りに回動することになる。
【００６６】
本具体例の回動機構によれば、収納ボックス３５が床面２０に対して水平方向の姿勢になった時に、固定つめ７０は体組成計１および体組成計保持部３１から自動的に解除され、体組成計１の表面よりも低い位置に固定つめ７０が位置することになるため、使用者の脚が固定つめ７０に触れることはなく、体組成計１の測定精度が悪くなることはない。
【００６７】
さらに、固定つめ７０は、体組成計１の左右側方に位置しているため、操作スイッチ５３を押す動作を阻害することがない。体組成計１が固定つめ７０の固定から解除されれば、体組成計１は自由に移動させることができるため、電池５７を交換する作業も容易にできる。
【００６８】
図１７は、本実施形態のさらに他の具体例に係る固定つめの回動機構を例示する模式図である。１７（ａ）は、体組成計１および体組成計保持部３１を固定した状態を例示する模式図であり、図１７（ｂ）は、固定つめが解除された状態を斜め上方から眺めた模式図である。  
図１７（ａ）、図１７（ｂ）に表した固定つめの回動機構は、収納ボックス３５が床面２０に対して水平方向の姿勢に回動された状態を表している。本具体例の固定つめ７０は、体組成計１の左側方に位置している。
【００６９】
本具体例の回動機構は、固定つめ７０と、回転軸８５と、軸継手８６と、ばね８７と、押し棒８８と、を有する。回転軸８５は、固定つめ７０に締結されており、さらに、収納ボックス３５にはめ込まれている。従って、固定つめ７０は、回転軸８５を中心に回動できる構造を有している。
【００７０】
押し棒８８は、ばね８７を通して、ばね８７と共に収納ボックス３５の床面２０側の面（下方側の面）に設置されている。これによって、押し棒８８は収納ボックス３５から出し入れ可能な構造を有している。
【００７１】
収納ボックス３５が、床面２０に接地すると、押し棒８８が上方へ押し上げられる。固定つめ７０と押し棒８８とは、軸継手８６によって連結されているため、押し棒８８が上方へ押し上げられると、固定つめ７０の軸継手８６の部分も上方へ押し上げられることになる。固定つめ７０の軸継手８６の部分が上方へ押し上げられると、固定つめ７０は回転軸８５を中心として回動する。本具体例の回動機構を前方から眺めた場合において、固定つめ７０の回動方向は、反時計回りとなる。
【００７２】
収納ボックス３５を体組成計収納キャビネット２に収納する場合においては、収納ボックス３５を持ち上げることで、押し棒８８と床面２０との接地がなくなるため、押し棒８８がばね８７によって戻され、体組成計１および体組成計保持部３１を固定する方向へと固定つめ７０が自動的に回動する。
【００７３】
以上の回動機構によって、収納ボックス３５の回動と連動して固定つめ７０が回動し、収納ボックス３５が床面２０に対して水平方向の姿勢になった時に、固定つめ７０は体組成計１および体組成計保持部３１から自動的に解除される。また、収納ボックス３５を体組成計収納キャビネット２に収納する場合においては、収納ボックス３５を持ち上げることで、体組成計１および体組成計保持部３１を固定する方向へと固定つめ７０が自動的に回動する。
【００７４】
本具体例の回動機構によれば、収納ボックス３５が床面２０に対して水平方向の姿勢になった時に、固定つめ７０は体組成計１および体組成計保持部３１から自動的に解除され、体組成計１の表面よりも低い位置に固定つめ７０が位置することになるため、使用者の脚が固定つめ７０に触れることはなく、体組成計１の測定精度が悪くなることはない。
【００７５】
さらに、固定つめ７０は、体組成計１の左右側方に位置しているため、操作スイッチ５３を押す動作を阻害することがない。体組成計１が固定つめ７０の固定から解除されれば、体組成計１は自由に移動させることができるため、電池５７を交換する作業も容易にできる。
【００７６】
次に、本発明の第２の実施の形態について説明する。  
図１８は、本発明の第２の実施の形態に係る体組成計収納キャビネットの模式図である。図１８（ａ）は、体組成計収納キャビネットを前方から眺めた模式図であり、図１８（ｂ）は、体組成計収納キャビネットを右側方から眺めた模式図である。
【００７７】
体組成計収納キャビネット２の前方部においては、扉３が設けられている。体組成計収納キャビネット２の内部においては、体組成計１が床面２０に対して垂直方向の姿勢に収納されている。体組成計１は、パネル１３１によって保持されている。また、体組成計収納キャビネット２の内部においては、排水トラップ１０６と、排水管１０７と、止水栓１０８と、がさらに設けられている。体組成計収納キャビネット２の上部においては、手洗い器６が設けられている。手洗い器６は、手洗いボウル４と、水栓５と、を有する。
【００７８】
本実施形態の体組成計収納キャビネット２の内部においては、排水トラップ１０６および止水栓１０８等が設けられているため、体組成計１およびパネル１３１等は、排水トラップ１０６および止水栓１０８等を避けた空間に設ける必要がある。また、排水管１０７は、体組成計１およびパネル１３１等を避けた側方または後方に設ける必要がある。
【００７９】
図１９は、本実施形態の体組成計収納キャビネットを斜め上方から眺めた模式図である。図１９に表した体組成計収納キャビネット２においては、扉３が開かれており、体組成計１が体組成計収納キャビネット２から外部へ引き出された状態を表している。
【００８０】
パネル１３１は、前方側のパネル（第２のパネル）１３１ａと、後方側のパネル（第１のパネル）１３１ｂと、を有する。体組成計１は、前方側のパネル１３１ａに保持されている。前方側のパネル１３１ａと後方側のパネル１３１ｂとは、軸（連結部）１３３ａによって連結されている。また、後方側のパネル１３１ｂと体組成計収納キャビネット側面とは、軸（連結部）１３３ｂによって連結されている。軸１３３ａは、回動可能な構造を有しているため、パネル１３１ａと後方側のパネル１３１ｂとにおいて、軸１３３ａを中心とした回動が可能となっている。軸１３３ａと同様に、軸１３３ｂは回動可能な構造を有しているため、後方側のパネル１３１ｂと体組成計収納キャビネットとにおいて、軸１３３ｂを中心とした回動が可能となっている。
【００８１】
前方側のパネル１３１ａと後方側のパネル１３１ｂとの間においては、ばね１３６が設けられている。ばね１３６は、前方側のパネル１３１ａと後方側のパネル１３１ｂとを軸１３３ａを中心として閉じる方向に付勢している。前面側のパネル１３１ａの下方においては、車輪１３８が設けられている。この車輪１３８によって、前方側のパネル１３１ａは、床面２０に対して滑らかに移動することができる。
【００８２】
さらに、前方側のパネル１３１ａにおいては、取っ手１３７と、軸１３５と、解除レバー１３２と、が設けられている。取っ手１３７は、軸１３５を中心として回動可能な構造を有している。取っ手１３７は、解除レバー１３２を下方へ押し下げる前においては、取っ手の長手方向が前方側のパネル１３１ａと平行方向の状態、すなわち取っ手１３７ａの状態にあるが、解除レバー１３２を下方へ押し下げると軸１３５を中心として回動し、起き上がった状態となる。
【００８３】
次に、本実施形態に係る体組成計収納キャビネットの動作について説明する。  
まず、体組成計１は、床面２０に対して垂直方向の姿勢となるように体組成計収納キャビネット２に収納されている。体組成計１の使用者は、体組成計収納キャビネット２の前面に設けられた扉３を開く。次に、前方側のパネル１３１ａを前方に引く。この動作によって、軸１３３ａ、１３３ｂに連結されている前方側のパネル１３１ａと、後方側のパネル１３１ｂと、が、軸１３３ａ、１３３ｂを中心として回動し、体組成計１の重量によって自動的に開く。この時、前方側のパネル１３１ａは、下方の面に車輪１３８が設けられているため、床面２０に対して滑らかに移動することができる。
【００８４】
前方側のパネル１３１ａと後方側のパネル１３１ｂとは、ばね１３６によって閉じる方向に付勢されているため、パネル１３１が体組成計収納キャビネット２から引き出された時においては水平とはならず、少し浮いた状態で停止する。この状態において、使用者が体組成計１に乗ることによって、パネル１３１は水平となり、測定可能となる。測定終了後において、使用者が体組成計１が降りると、再びパネル１３１は水平とはならず、少し浮いた状態で停止する。
【００８５】
体組成計１を収納する時においては、使用者は解除レバー１３２を下方へ押し下げる。解除レバー１３２と取っ手１３７とは軸１３５によって締結されているため、解除レバー１３２を下方へ押し下げると、取っ手１３７は軸１３５を中心として回動し、起き上がってくる。起き上がった状態の取っ手１３７を後方へ押すことによって、パネル１３１が折り畳まれるようにして体組成計収納キャビネット２に収納される。次に、扉３を閉めることで、体組成計収納キャビネット２の動作が終了する。
【００８６】
次に、具体例を参照しつつ、本実施形態の変形例について説明する。  
図２０は、本実施形態の変形例に係る体組成計収納キャビネットの模式図である。  
図２０に表した体組成計収納キャビネットおいては、図１９に表した体組成計収納キャビネットにおけるばね１３６が設けられていない。その他の構成は、図１９に表した体組成計収納キャビネットと同じである。
【００８７】
まず、体組成計１は、床面２０に対して垂直方向の姿勢となるように体組成計収納キャビネット２に収納されている。体組成計１の使用者は、体組成計収納キャビネット２の前面に設けられた扉３を開く。次に、前方側のパネル１３１ａを前方を引く。この動作によって、軸１３３ａ、１３３ｂに連結されている前方側のパネル１３１ａと、後方側のパネル１３１ｂと、が、軸１３３ａ、１３３ｂを中心として回動し、体組成計１の重量によって自動的に開く。この時、前方側のパネル１３１ａは、下方の面に車輪１３８が設けられているため、床面２０に対して滑らかに移動することができる。
【００８８】
前方側のパネル１３１ａと後方側のパネル１３１ｂとは、ばね１３６によって付勢されていないため、パネル１３１が体組成計収納キャビネット２から引き出された時においては水平となった状態で停止する。この状態において、使用者は体組成計１を使用することが可能となる。
【００８９】
体組成計１を収納する時においては、使用者は解除レバー１３２を下方へ押し下げる。解除レバー１３２と取っ手１３７とは軸１３５によって締結されているため、解除レバー１３２を下方へ押し下げると、取っ手１３７は軸１３５を中心として回動し、起き上がってくる。軸１３３ａの部分を足および手などで上方へ引き上げながら、起き上がった状態の取っ手１３７を後方へ押すことによって、パネル１３１が折り畳まれるようにして体組成計収納キャビネット２に収納される。次に、扉３を閉めることで、体組成計収納キャビネット２の動作が終了する。
【００９０】
図２１は、本実施形態の他の変形例に係る体組成計収納キャビネットの模式図である。
また、図２２は、図２１における体組成計保持部が前方にスライドした状態を例示する模式図である。  
また、図２３は、図２１における板ばね付近を上方から眺めた拡大模式図である。  
図２１に表した体組成計収納キャビネット２においては、扉３が開かれており、体組成計１が体組成計収納キャビネット２から外部へ引き出された状態を表している。
【００９１】
本具体例の体組成計収納キャビネット２は、パネル１３１と、軸１３３と、が設けられている。体組成計１は、パネル１３１に保持されている。パネル１３１と体組成計収納キャビネット２とは、軸１３３によって連結されている。軸１３３は、回動可能な構造を有しているため、パネル１３１は体組成計収納キャビネット２に対して、軸１３３を中心とした回動が可能な構造を有している。
【００９２】
パネル１３１の側面においては、引出レール１４０が設けられている。引出レール１４０は、板ばね１４１を有している。この引出レール１４０によって、パネル１３１は、体組成計１を保持しつつ、体組成計収納キャビネット２の前方へスライドすることができる。
【００９３】
パネル１３１においては、下方の面に車輪１３８が設けられており、側面に突起部１４２が設けられている。パネル１３１の一方の側面においては、取っ手１３７がさらに設けられている。この取っ手１３７は、パネル１３１を前方にスライドさせる前においては、取っ手の長手方向がパネル１３１と平行方向の状態、すなわち取っ手１３７ａの状態にあるが、パネル１３１のスライド移動と連動して起き上がってくる構造を有する。
【００９４】
まず、体組成計１は、床面２０に対して垂直方向の姿勢となるように体組成計収納キャビネット２に収納されている。体組成計１の使用者は、体組成計収納キャビネット２の前面に設けられた扉３を開く。次に、前方側のパネル１３１ａを前方に引く。この動作によって、軸１３３に連結されているパネル１３１が、軸１３３を中心として回動し、床面に対して水平方向の姿勢となる。
【００９５】
続いて、パネル１３１を前方へスライドさせる。パネル１３１は、引出レール１４０に沿って前方へスライドし、また、下方の面に設けられた車輪１３８によって滑らかにスライドすることができる。パネル１３１が最前方までスライドすると、パネル１３１の側面に設けられた突起部１４２が、引出レール１４０に設けられた板ばね１４１から付勢される状態となり、パネル１３１にロックがかかる。このロック機構によって、測定時におけるパネル１３１のふらつきを防止し、使用者が安全に測定することが可能となっている。
【００９６】
取っ手１３７は、パネル１３１のスライド移動と連動して起き上がってくる構造を有しており、パネル１３１が最前方の位置までスライドした時においては、取っ手１３７は起き上がった状態となっている。
【００９７】
体組成計１を収納する時においては、使用者は取っ手１３７を後方へ押し戻す。取っ手１３７を後方へ押し戻すと、突起部１４２が板ばね１４１からの付勢を受けなくなり、ロックが解除される。パネル１３１をさらに後方へスライドさせると、取っ手１３７が倒れつつ、最後方までスライドする。パネル１３１を引き起こして体組成計収納キャビネット２に収納し、扉３を閉めることで、体組成計収納キャビネット２の動作が終了する。
【００９８】
以上説明したように、本実施形態によれば、体組成計１が体組成計収納キャビネットの内部に収納されている場合においては、体組成計１が床面２０に対して垂直方向の姿勢になるように収納されているため、一般的な家庭用トイレのレイアウトにおいて、効率よく体組成計を収納することができる。
【００９９】
また、手洗いボウル４は体組成計収納キャビネット２の前端よりも前方に突出していることが多く、体組成計収納キャビネット２から離れた前方位置まで体組成計１を移動させないと、体組成計１の使用時において、人体が手洗いボウル４に接触する可能性があった。これによって、体重および体脂肪率などの測定精度が悪化する可能性があった。さらに、体組成計１の結果表示部５０（図９参照）が手洗いボウル４によって遮蔽されて、測定結果を見づらくなる可能性もあった。
【０１００】
これに対して、本実施形態によれば、体組成計収納キャビネット２から離れた前方位置まで体組成計１を移動させるための引出レール１４０および車輪１３８などの移動機構を設けているため、体組成計１の使用時において、人体が手洗いボウル４に接触することがない。これによって、体重および体脂肪率などの測定精度が悪化することがない。さらに、体組成計１の結果表示部５０（図９参照）に表示された測定結果を見づらくなることもない。
【０１０１】
次に、本発明の第３の実施の形態について説明する。  
図２４は、本発明の第３の実施の形態に係る体組成計収納キャビネットの模式図である。図２４（ａ）は、体組成計収納キャビネットを前方から眺めた模式図であり、図２４（ｂ）は、体組成計収納キャビネットを右側方から眺めた模式図である。
【０１０２】
体組成計収納キャビネット２の前方部においては、扉２０３が設けられている。扉２０３は、スライド扉２０３ａと上段扉２０３ｂとを有する。図２４に表した体組成計収納キャビネット２においては、スライド扉２０３ａは２段構成となっているが、これに限定されるわけではなく、例えば３段構成になっていてもよい。スライド扉２０３ａは、上下方向にスライドすることが可能であり、上段扉２０３ｂは、上下方向にスライドすることはできずに固定されている。最下段のスライド扉２０３ａは、前方面に取っ手２０４を有している。
【０１０３】
体組成計収納キャビネット２の内部においては、体組成計保持部２３１（パネル）が設けられている。体組成計１は、床面２０に対して垂直方向の姿勢で体組成計保持部２３１に保持されている。この時、体組成計１は、体組成計保持部２３１に対して前方側に保持されている。体組成計保持部２３１の上方部においては、ワイヤ巻き取り装置２１０と、補助ハンドル２１１と、閉用解除レバー２３２が設けられている。体組成計保持部２３１の後方部においては、スライドレール２３６がさらに設けられている。このスライドレール２３６に沿って、体組成計保持部２３１は上下方向にスライドすることが可能である。
【０１０４】
体組成計収納キャビネット２の上部においては、手洗い器６が設けられている。手洗い器６は、手洗いボウル４と、水栓５と、を有する。なお、手洗器６の下方には図示しない止水栓、排水トラップ、および排水管が設けられている。
【０１０５】
図２５は、本実施形態に係る体組成計収納キャビネットの模式図である。図２５（ａ）は、本実施形態に係る体組成計収納キャビネットを右側方から眺めた模式図であり、図２５（ｂ）は、ワイヤ巻き取り装置２１０を斜め上方から眺めた拡大模式図である。なお、説明の便宜上、図２５（ａ）に表した体組成計収納キャビネットにおいて、体組成計収納キャビネットの右側方の壁は省略して表している。
【０１０６】
体組成計保持部２３１の上方部においては、巻き取り装置ブレーキ２１２と、ばね２１４と、が設けられている。ばね２１４は、巻き取り装置ブレーキ２１２と上段扉２０３ｂとに固定されている。巻き取り装置ブレーキ２１２においては、下方側の面に押し棒２０６と、右側方の面に突起部２１２ａと、前方面に軸２３３と、が付設されている。ワイヤ巻き取り装置２１０は、突起部２１０ａを有している。体組成計保持部２３１の前方側の面においては、突起部２３１ａが付設されている。また、最下段のスライド扉２０３ａの後方側の面においては、突起部２０５が設けられている。
【０１０７】
体組成計保持部２３１が、体組成計収納キャビネット２に収納されている場合においては、突起部２１０ａは、巻き取り装置ブレーキ２１２によって下方に押し下げられいるため、ワイヤ巻き取り装置２１０は回動することができない。また、体組成計保持部２３１の前方側の面に付設された突起部２３１ａが、巻き取り装置ブレーキ２１２に付設された突起部２１２ａを押し上げていることによって、巻き取り装置ブレーキ２１２も回動することができない。このようにして、体組成計保持部２３１は、下降できずにロックされた状態となって、体組成計収納キャビネット２に収納されている。
【０１０８】
図２６は、本実施形態に係る体組成計収納キャビネットの模式図である。図２６（ａ）は、本実施形態に係る体組成計収納キャビネットのスライド扉が上方にスライドした状態を表した模式図であり、図２６（ｂ）は、図２６（ａ）の状態におけるワイヤ巻き取り装置２１０を斜め上方から眺めた拡大模式図である。なお、説明の便宜上、図２６（ａ）に表した体組成計収納キャビネットにおいて、体組成計収納キャビネットの右側方の壁は省略して表している。
【０１０９】
スライド扉２０３ａが上方へスライドすると、スライド扉２０３ａの後方側の面に設けられた突起部２０５は、押し棒２０６を上方へ押し上げる。押し棒２０６が上方へ押し上げられると、巻き取り装置ブレーキ２１２は軸２３３を中心として回動する。この時、巻き取り装置ブレーキ２１２と上段扉２０３ｂとに固定されたばね２１４は伸ばされつつ、力が蓄積されていく。押し棒２０６が押し上げられて、巻き取り装置ブレーキ２１２が軸２３３を中心として回動すると、突起部２１０ａの動きを止めるものがなくなるため、ワイヤ巻き取り装置２１０が回動することになる。さらに、巻き取り装置ブレーキ２１２が回動すると、突起部２１２ａが突起部２３１ａを下方へ押し下げることになる。
【０１１０】
ワイヤ巻き取り装置２１０においては、ワイヤ２１６が巻かれている。ワイヤ２１６の一方の端部は、体組成計保持部２３１に連結されている。押し棒２０６が押し上げられ、巻き取り装置ブレーキ２１２のロックが解除されると、ワイヤ巻き取り装置２１０に巻かれたワイヤ２１６が解放されつつ、体組成計保持部２３１は自重および体組成計１の重量によって下降を始める。
【０１１１】
図２７は、本実施形態に係る体組成計収納キャビネットのスライド扉が上方にスライドした状態を表した模式図である。  
また、図２８は、本実施形態に係る体組成計収納キャビネットの模式図である。図２８（ａ）は、本実施形態に係る体組成計保持部の下降途中の状態を右側方から眺めた模式図であり、図２８（ｂ）は、図２８（ａ）に表した体組成計収納キャビネットにおけるワイヤ巻き取り装置を斜め上方から眺めた拡大模式図である。なお、説明の便宜上、図２７および図２８（ａ）に表した体組成計収納キャビネットにおいて、体組成計収納キャビネットの右側方の壁は省略して表している。
【０１１２】
体組成計保持部２３１が下降する際においては、体組成計保持部２３１はスライドレール２３６に沿って下降する。ワイヤ巻き取り装置２１０においては、ゼンマイ２１０ｂが設けられている。このワイヤ巻き取り装置２１０は、ワイヤ２１６が下降する力をゼンマイ２１０ｂに蓄積する構造を有している。ゼンマイ２１０ｂに蓄積された力が解放されないようにするために、ワイヤ巻き取り装置２１０は、ゼンマイ用ブレーキ２１０ｃを有している。つまり、ゼンマイ２１０ｂが逆回転する動作を防止する機能を果たしている。
【０１１３】
図２９は、本実施形態に係る体組成計収納キャビネットの模式図である。図２９（ａ）は、本実施形態に係る体組成計保持部が床面に対して水平方向の姿勢になった状態を表した模式図であり、図２９（ｂ）は、本実施形態に係る体組成計保持部の収納時のワイヤ巻き取り装置を斜め上方から眺めた拡大模式図である。なお、説明の便宜上、図２９（ａ）に表した体組成計収納キャビネットにおいて、体組成計収納キャビネットの右側方の壁は省略して表している。
【０１１４】
図２８（ａ）に表した体組成計保持部２３１をさらに前方に引き出すと、体組成計保持部２３１はスライドレール２３６に沿ってさらにスライドして、床面２０に対して水平方向の姿勢となる。この状態において、使用者は体重等を測定することが可能となる。
【０１１５】
体重等を測定して、体組成計保持部２３１を体組成計収納キャビネット２に収納するときにおいては、閉用解除レバー２３２を下方へ押し下げればよい。ゼンマイ用ブレーキ２１０ｃは、閉用解除レバー２３２に固定されているため、閉用解除レバー２３２を下方へ押し下げると、同時にゼンマイ用ブレーキ２１０ｃも下方へ押し下げられ、ゼンマイ用ブレーキ２１０ｃのロックが解除されることになる。ゼンマイ用ブレーキ２１０ｃのロックが解除されると、ゼンマイ２１０ｂに蓄積された力によって体組成計保持部２３１が上昇する方向へゼンマイ２１０ｂが回転し、ワイヤ２１６が巻き取られる。
【０１１６】
閉用解除レバー２３２においては、逆回転防止ブレーキ２１０ｅがさらに設けられている。従って、閉用解除レバー２３２を押し下げると、同時に逆回転防止ブレーキ２１０ｅも押し下げられる。この逆回転防止ブレーキ２１０ｅは、体組成計保持部２３１の上昇時におけるゼンマイ２１０ｂが逆回転する動作を防止する機能を果たしている。
【０１１７】
体組成計保持部２３１は、ゼンマイ２１０ｂに蓄積された力によって体組成計収納キャビネット２の上方部の途中まで引き上げられる。この時、前記の逆回転防止ブレーキ２１０ｅの機能によって、体組成計保持部２３１は再び下降せずに、体組成計収納キャビネット２の上方部の途中で停止することになる。最後に、補助ハンドル２１１を回して、残りのワイヤ２１６を巻き取ることで、体組成計保持部２３１が体組成計収納キャビネット２の上方部でロックされることになる。
【０１１８】
図３０は、本実施形態に係る体組成計保持部の収納時におけるワイヤ巻き取り装置を斜め上方から眺めた拡大模式図である。  
体組成計保持部２３１の上方面においては、解除レバー押し棒２３１ｂが設けられている。補助ハンドル２１１を回して体組成計保持部２３１をさらに上昇させると、解除レバー押し棒２３１ｂによって閉用解除レバー２３２が上方へ押し上げられ、同時にゼンマイ用ブレーキ２１０ｃが再び上方へ押し上げられる。これによって、体組成計保持部２３１が下降する方向へのゼンマイ２１０ｂの回転がロックされることになる。
【０１１９】
また、補助ハンドル２１１を回して体組成計保持部２３１をさらに上昇させると、突起部２３１ａによって突起部２１２ａが押し上げられる力と、ばね２１４に蓄積された力と、によって巻き取り装置ブレーキ２１２が軸２３３を中心として回動する。この巻き取り装置ブレーキ２１２の回動によって、突起部２１０ａが下方へ押し下げられ、ワイヤ巻き取り装置２１０がロックされる。
【０１２０】
次に、本実施形態に係る体組成計収納キャビネットの動作について説明する。  
まず、体組成計１は、床面２０に対して垂直方向の姿勢となるように体組成計収納キャビネット２に収納されている。この状態においては、突起部２１０ａは、巻き取り装置ブレーキ２１２によって下方に押し下げられているため、ワイヤ巻き取り装置２１０は回動することができない。また、体組成計保持部２３１の前方面に付設された突起部２３１ａが、巻き取り装置ブレーキ２１２に付設された突起部２１２ａを押し上げていることによって、巻き取り装置ブレーキ２１２も回動することができない。このようにして、体組成計保持部２３１は、下降できずにロックされた状態となって、体組成計収納キャビネット２に収納されている。
【０１２１】
体組成計１の使用者は、スライド扉２０３ａに設けられた取っ手２０４に手を掛け、スライド扉２０３ａを上方へスライドさせる。スライド扉２０３ａが上方へスライドすると、スライド扉２０３ａの後方面に設けられた突起部２０５は、押し棒２０６を上方へ押し上げる。押し棒２０６が上方へ押し上げられると、巻き取り装置ブレーキ２１２は軸２３３を中心として回動する。この時、巻き取り装置ブレーキ２１２と上段扉２０３ｂとに固定されたばね２１４は伸ばされつつ、力が蓄積されていく。押し棒２０６が押し上げられて、巻き取り装置ブレーキ２１２が軸２３３を中心として回動すると、突起部２１０ａの動きを止めるものがなくなるため、ワイヤ巻き取り装置２１０が回動することになる。さらに、巻き取り装置２１２が回動すると、突起部２１２ａが突起部２３１ａを下方へ押し下げることになる。このようにして、巻き取り装置ブレーキ２１２のロックが解除され、体組成計保持部２３１および体組成計１が自重によって下降を始める。
【０１２２】
体組成計保持部２３１および体組成計１が下降している途中においては、ワイヤ巻き取り装置２１０に設けられたゼンマイ２１０ｂが回動し、ワイヤ２１６が下降する力をゼンマイ２１０ｂに蓄積していく。この時、ゼンマイ２１０ｂに蓄積された力が解放されないようにするために、ワイヤ巻き取り装置２１０は、ゼンマイ用ブレーキ２１０ｃを有している。従って、ゼンマイ２１０ｂは逆回転しないようになっている。
【０１２３】
体組成計保持部２３１が床面２０に到達すると、斜めになった状態で停止するが、体組成計保持部２３１をさらに前方に引き出すと、体組成計保持部２３１はスライドレール２３６に沿ってさらにスライドして、床面２０に対して水平方向の姿勢となる。この状態において、使用者は体重等を測定することが可能となる。
【０１２４】
体重等を測定して、体組成計保持部２３１を体組成計収納キャビネット２に収納するときにおいては、閉用解除レバー２３２を下方へ押し下げればよい。閉用解除レバー２３２を下方へ押し下げると、同時にゼンマイ用ブレーキ２１０ｃも下方へ押し下げられ、ゼンマイ用ブレーキ２１０ｃのロックが解除されることになる。ゼンマイ用ブレーキ２１０ｃのロックが解除されると、ゼンマイ２１０ｂに蓄積された力によって体組成計保持部２３１が上昇する方向へゼンマイ２１０ｂが回転し、ワイヤ２１６が巻き取られる。
【０１２５】
閉用解除レバー２３２を押し下げると、同時に逆回転防止ブレーキ２１０ｅも押し下げられる。この逆回転防止ブレーキ２１０ｅによって、体組成計保持部２３１の上昇時におけるゼンマイ２１０ｂが逆回転することはない。
【０１２６】
体組成計保持部２３１は、ゼンマイ２１０ｂに蓄積された力によって体組成計収納キャビネット２の上方部の途中まで引き上げられる。この時、前記の逆回転防止ブレーキ２１０ｅの機能によって、体組成計保持部２３１は再び下降せずに、体組成計収納キャビネット２の上方部の途中で停止することになる。
【０１２７】
続いて、補助ハンドル２１１を回して体組成計保持部２３１をさらに上昇させると、解除レバー押し棒２３１ｂによって閉用解除レバー２３２が上方へ押し上げられ、同時にゼンマイ用ブレーキ２１０ｃが再び上方へ押し上げられる。これによって、体組成計保持部２３１が下降する方向へのゼンマイ２１０ｂの回転がロックされることになる。
【０１２８】
また、補助ハンドル２１１を回して体組成計保持部２３１をさらに上昇させると、突起部２３１ａによって突起部２１２ａが押し上げられる力と、ばね２１４に蓄積された力と、によって巻き取り装置ブレーキ２１２が軸２３３を中心として回動する。この巻き取り装置ブレーキ２１２の回動によって、突起部２１０ａが下方へ押し下げられ、ワイヤ巻き取り装置２１０がロックされる。
【０１２９】
ワイヤ巻き取り装置２１０がロックされると、巻き取り装置ブレーキ２１２によって押し棒２０６が下方へ押し下げられる。押し棒２０６が下方へ押し下げられると、スライド扉２０３ａに設けられた突起部２０５が下方へ押し下げられ、同時にスライド扉２０３ａが下方へ押し下げられる。最後に、スライド扉２０３ａを下方に閉めることで、体組成計収納キャビネット２の動作が終了する。
【０１３０】
以上説明したように、本実施形態によれば、体組成計１が体組成計収納キャビネットの内部に収納されている場合においては、体組成計１が床面２０に対して垂直方向の姿勢になるように収納されているため、一般的な家庭用トイレのレイアウトにおいて、効率よく体組成計を収納することができる。
【０１３１】
また、手洗いボウル４は体組成計収納キャビネット２の前端よりも前方に突出していることが多く、体組成計収納キャビネット２から離れた前方位置まで体組成計１を移動させないと、体組成計１の使用時において、人体が手洗いボウル４に接触する可能性があった。これによって、体重および体脂肪率などの測定精度が悪化する可能性があった。さらに、体組成計１の結果表示部５０（図９参照）が手洗いボウル４によって遮蔽されて、測定結果を見づらくなる可能性もあった。
【０１３２】
これに対して、本実施形態によれば、体組成計収納キャビネット２から離れた前方位置まで体組成計１を移動させるためのスライドレール２３６およびワイヤ２１６などの移動機構を設けているため、体組成計１の使用時において、人体が手洗いボウル４に接触することがない。これによって、体重および体脂肪率などの測定精度が悪化することがない。さらに、体組成計１の結果表示部５０（図９参照）に表示された測定結果を見づらくなることもない。
【０１３３】
次に、本発明の第４の実施の形態について説明する。  
図３１は、本発明の第４の実施形態に係る体組成計収納キャビネットを右側方から眺めた模式図である。  
また、図３２は、本実施形態に係る体組成計収納キャビネットの扉が開いた状態を例示した模式図である。なお、説明の便宜上、図３１および図３２に表した体組成計収納キャビネットにおいて、体組成計収納キャビネットの右側方の壁は省略して表している。
【０１３４】
体組成計収納キャビネット２の前方部においては、扉３０３が設けられている。この扉３０３は、体組成計保持部の機能も果たしており、後方側の面に体組成計１を保持している。このとき、体組成計１は、床面２０に対して垂直方向の姿勢に保持され、扉３０３は床面２０に対して垂直方向の姿勢で閉止されている。扉３０３の下方部においては、回転軸３３３が設けられている。この回転軸３３３によって、扉３０３は、回転軸３３３を中心として回動することが可能な構造を有している。扉３０３の後方側の面においては、ストッパ３７１が設けられている。このストッパ３７１は、体組成計１の下方への移動を防止している。体組成計収納キャビネット２の後方部においては、回動ストッパ３７２が設けられている。
【０１３５】
図３１に表した体組成計収納キャビネット２のように、扉３０３が閉じた状態においては、扉３０３は例えばマグネット等によって固定されており、振動等によって自動的に扉３０３が開くことを防止している。扉３０３を前方へ引くと、扉３０３は回転軸３３３を中心とした回動を始める。扉３０３がさらに回動すると、扉３０３の体組成計１を保持している保持面３０３ａと、回動ストッパ３７２に設けられた斜面３７２ａと、が干渉し、扉３０３の回動が停止する。扉３０３の開口角度は、回動ストッパ３７２に設けられた斜面３７２ａの角度を適宜設定することで、任意の開口角度に設定することができる。
【０１３６】
扉３０３が停止すると、体組成計１を取り出すことができる。使用者は、保持面３０３ａに沿った斜め上方へ体組成計１を取り出すことも可能であり、また、左右側方へ体組成計１を取り出すことも可能である。これにより、各使用者は楽な姿勢で体組成計１を取り出すことができる。ここで、使用者が体組成計収納キャビネット２の中に手を入れて、体組成計１を取り出すことを考慮すると、扉３０３の開口寸法Ａは例えば約１２０ｍｍ程度であることが好ましい。
【０１３７】
体組成計１を取り出した後、床面２０に体組成計１を設置させることで、体重等の測定が可能となる。測定終了後においては、再び保持面３０３ａに体組成計１を載置し、扉３０３を手で閉じることで、体組成計収納キャビネット２の動作が終了する。
【０１３８】
次に、具体例を参照しつつ、本実施形態の変形例について説明する。  
図３３は、本実施形態の変形例に係る体組成計収納キャビネットの回転軸付近を右側方から眺めた拡大模式図である。なお、説明の便宜上、体組成計収納キャビネットの右側方の壁は省略して表している。
【０１３９】
図３１および図３２に表した体組成計収納キャビネット２は、扉３０３の体組成計１を保持している保持面３０３ａと、回動ストッパ３７２に設けられた斜面３７２ａと、を干渉させることで、扉３０３の回動を停止させていたが、図３３に表した体組成計収納キャビネット２おいては、ステー３７３によって、扉３０３の回動を停止させている。
【０１４０】
ステー３７３は、支持部材３７３ａ、３７３ｂと、軸３７３ｃ、３７３ｄ、３７３ｅと、を有している。支持部材３７３ａの一方の端部は、軸３７３ｅによって扉３０３に連結されており、他方の端部は、軸３７３ｄによって支持部材３７３ｂに連結されている。また、支持部材３７３ｂの一方の端部は、軸３７３ｃによって体組成計収納キャビネット２の後方部に連結されており、他方の端部は、軸３７３ｄによって支持部材３７３ａに連結されている。図３３に表したステーにおいては、支持部材が２部品から構成されているが、これに限定されるわけではなく、例えば支持部材が４部品から構成されていてもよい。
【０１４１】
扉３０３が閉じた状態においては、ステー３７３は折り畳まれた状態となっている（図示せず）が、使用者が扉３０３を手で開くと、図３３に表したステー３７３のようにステー３７３が開く構造を有している。このステー３７３の開きによって、扉３０３の回動が停止する。扉３０３を開いた後においては、図３１および図３２に表した体組成計収納キャビネットと同様に、手で体組成計１を取り出し、床面２０に設置することで、体重等を測定することが可能となる。測定終了後においては、再び保持面３０３ａに体組成計１を載置し、扉３０３を手で閉じることで、体組成計収納キャビネット２の動作が終了する。
【０１４２】
次に本実施形態に係る体組成計の固定機構について説明する。  
図３４は、本実施形態に係る体組成計収納キャビネットの模式図である。図３４（ａ）は、本実施形態に係る体組成計収納キャビネットを右側方から眺めた模式図であり、図３４（ｂ）は、本実施形態に係る体組成計の固定機構を右側方から眺めた拡大模式図である。なお、説明の便宜上、体組成計収納キャビネットの右側方の壁は省略して表している。
【０１４３】
図３４（ａ）に表した体組成計収納キャビネット２は、体組成計１が体組成計収納キャビネット２の内部に収納された状態を表している。体組成計収納キャビネット２の後方部においては、固定機構３４１が設けられている。固定機構３４１は、支持部材３４１ａと、ローラ３４１ｂと、を有している。支持部材３４１ａは、弾力性を持った例えば板ばね等からなる。
【０１４４】
扉３０３を手で閉じて体組成計１を収納する時において、体組成計１が床面２０に対して垂直方向の姿勢になる前に、ローラ３４１ｂが体組成計１の表面に接触する。扉３０３をさらに回動させると、体組成計１はローラ３４１ｂに接触しつつ、支持部材３４１ａに力を蓄積するように回動していく。
【０１４５】
体組成計１が床面２０に対して垂直方向の姿勢に収納された時においては、体組成計１は固定機構３４１によって扉３０３の方向へ付勢された状態となる。従って、体組成計１の収納時における転倒を防止することができる。また、体組成計１に接触している部分は、ローラ３４１ｂとなっているため、体組成計１の傷付きを防止することができる。
【０１４６】
扉３０３を手で開けて体組成計１を取り出す時においては、体組成計１が床面２０に対して一定の角度になるまで固定機構３４１によって付勢されているため、取り出し時の体組成計１のがたつきを抑えることができる。
【０１４７】
次に、具体例を参照しつつ、本実施形態の変形例について説明する。  
図３５は、本実施形態の変形例に係る体組成計収納キャビネットの模式図である。図３５（ａ）は、本実施形態の変形例に係る体組成計収納キャビネットを右側方から眺めた模式図であり、図３５（ｂ）は、本実施形態の変形例に係る体組成計の固定機構を右側方から眺めた拡大模式図である。なお、説明の便宜上、体組成計収納キャビネットの右側方の壁は省略して表している。
【０１４８】
図３５（ａ）に表した体組成計収納キャビネット２は、図３４（ａ）に表した体組成計収納キャビネットと同様に、体組成計１が体組成計収納キャビネット２の内部に収納された状態を表している。体組成計収納キャビネット２の後方部においては、固定機構３４５が設けられている。固定機構３４５は、ばね３４５ａと、伸縮棒３４５ｂと、を有している。
【０１４９】
扉３０３を手で閉じて体組成計１を収納する時において、体組成計１が床面２０に対して垂直方向の姿勢になる前に、伸縮棒３４５ｂが体組成計１の表面に接触する。扉３０３をさらに回動させると、体組成計１は伸縮棒３４５ｂに接触しつつ、ばね３４５ａに力を蓄積するように収縮していく。
【０１５０】
体組成計１が床面２０に対して垂直方向の姿勢に収納された時においては、体組成計１は固定機構３４５によって扉３０３の方向へ付勢された状態となる。従って、体組成計１の収納時における転倒を防止することができる。また、伸縮棒３４５ｂは、体組成計収納キャビネットの後方へ押し込まれるため、体組成計１の傷付きを防止することができる。
【０１５１】
扉３０３を手で開けて体組成計１を取り出す時においては、体組成計１が床面２０に対して一定の角度になるまで固定機構３４５によって付勢されているため、取り出し時の体組成計１のがたつきを抑えることができる。
【０１５２】
なお、図３４に表した体組成計収納キャビネットおいては、弾力性を持った支持部材３４１ａとローラ３４１ｂとを有する固定機構３４１を、図３５に表した体組成計収納キャビネットにおいては、弾力性を持ったばね３４５ａと伸縮棒３４５ｂとを有する固定機構３４５を、例に挙げて説明したが、体組成計１の固定機構はこれらに限定されるわけではなく、例えば発泡材からなる固定機構によって体組成計１を扉３０３の方向へ付勢していてもよい。
【０１５３】
以上説明したように、本実施形態によれば、体組成計１が体組成計収納キャビネットの内部に収納されている場合においては、体組成計１が床面２０に対して垂直方向の姿勢になるように収納されているため、一般的な家庭用トイレのレイアウトにおいて、効率よく体組成計を収納することができる。
【０１５４】
また、手洗いボウル４は体組成計収納キャビネット２の前端よりも前方に突出していることが多く、体組成計収納キャビネット２から離れた前方位置まで体組成計１を移動させないと、体組成計１の使用時において、人体が手洗いボウル４に接触する可能性があった。これによって、体重および体脂肪率などの測定精度が悪化する可能性があった。さらに、体組成計１の結果表示部５０（図９参照）が手洗いボウル４によって遮蔽されて、測定結果を見づらくなる可能性もあった。
【０１５５】
これに対して、本実施形態によれば、体組成計収納キャビネット２から離れた前方位置または側方位置まで体組成計１を自由に移動させることができるため、体組成計１の使用時において、人体が手洗いボウル４に接触することがない。これによって、体重および体脂肪率などの測定精度が悪化することがない。さらに、体組成計１の結果表示部５０（図９参照）に表示された測定結果を見づらくなることもない。
【０１５６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、体組成計保持部３１、パネル１３１、および体組成計保持部２３１などが備える各要素の形状、寸法、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【図面の簡単な説明】
【０１５７】
【図１】本発明の実施の形態に係る体組成計収納キャビネットが設置されたトイレ室を例示する模式図である。
【図２】本発明の第１の実施の形態に係る体組成計収納キャビネットの模式図であり、図２（ａ）は、体組成計収納キャビネットを前方から眺めた模式図であり、図２（ｂ）は、体組成計収納キャビネットを右側方から眺めた模式図である。
【図３】本実施形態に係るロック解除レバーを表した拡大模式図であり、図３（ａ）は、ロック解除レバーを前方から眺めたＡ−Ａ断面拡大図であり、図３（ｂ）は、ロック解除レバーを右側方から眺めた拡大模式図である。
【図４】本実施形態に係る収納ボックスが下方へスライドした時の体組成計収納キャビネットを右側方から眺めた模式図である。
【図５】図４に表した体組成計収納キャビネットにおけるロック解除レバーを表した拡大模式図であり、図５（ａ）は、ロック解除レバーを前方から眺めた拡大模式図であり、図５（ｂ）は、ロック解除レバーを図５（ａ）におけるＢ−Ｂで切断した断面模式図である。
【図６】本実施形態に係る収納ボックスが、床面に対して水平方向になるまで回動した時の体組成計収納キャビネットを右側方から眺めた模式図である。
【図７】図６に表した収納ボックスを斜め上方から眺めた模式図である。
【図８】本実施形態に係る体組成計保持部を前方へスライドさせた時の体組成計収納キャビネットを右側方から眺めた模式図である。
【図９】本実施形態に係る体組成計を斜め上方から眺めた模式図である。
【図１０】本実施形態に係る体組成計に使用者の足を乗せた状態を斜め上方から眺めた模式図である。
【図１１】本実施形態に係る体組成計の裏面を斜め上方から眺めた模式図である。
【図１２】本実施形態に係る体組成計の固定機構が床面に対して垂直方向の姿勢の場合の模式図であり、図１２（ａ）は、固定機構を上方から眺めた模式図であり、図１２（ｂ）は、固定機構を右側方から眺めた模式図である。
【図１３】本実施形態に係る体組成計の固定機構の回動途中の模式図である。
【図１４】本実施形態に係る体組成計の固定機構が床面に対して水平方向の姿勢の場合の模式図であり、図１４（ａ）は、固定機構を上方から眺めた模式図であり、図１４（ｂ）は、固定機構を右側方から眺めた模式図である。
【図１５】本実施形態の具体例に係る固定つめの回動機構を例示する模式図である。
【図１６】本実施形態の他の具体例に係る固定つめの回動機構を例示する模式図である。
【図１７】本実施形態のさらに他の具体例に係る固定つめの回動機構を例示する模式図であり、１７（ａ）は、体組成計１および体組成計保持部３１を固定した状態を例示する模式図であり、図１７（ｂ）は、固定つめが解除された状態を斜め上方から眺めた模式図である。
【図１８】本発明の第２の実施の形態に係る体組成計収納キャビネットの模式図であり、図１８（ａ）は、体組成計収納キャビネットを前方から眺めた模式図であり、図１８（ｂ）は、体組成計収納キャビネットを右側方から眺めた模式図である。
【図１９】本実施形態の体組成計収納キャビネットを斜め上方から眺めた模式図である。
【図２０】本実施形態の変形例に係る体組成計収納キャビネットの模式図である。
【図２１】本実施形態の他の変形例に係る体組成計収納キャビネットの模式図である。
【図２２】図２１における体組成計保持部が前方にスライドした状態を例示する模式図である。
【図２３】図２１における板ばね付近を上方から眺めた拡大模式図である。
【図２４】本発明の第３の実施の形態に係る体組成計収納キャビネットの模式図であり、図２４（ａ）は、体組成計収納キャビネットを前方から眺めた模式図であり、図２４（ｂ）は、体組成計収納キャビネットを右側方から眺めた模式図である。
【図２５】本実施形態に係る体組成計収納キャビネットの模式図であり、図２５（ａ）は、本実施形態に係る体組成計収納キャビネットを右側方から眺めた模式図であり、図２５（ｂ）は、ワイヤ巻き取り装置２１０を斜め上方から眺めた拡大模式図である。
【図２６】本実施形態に係る体組成計収納キャビネットの模式図であり、図２６（ａ）は、本実施形態に係る体組成計収納キャビネットのスライド扉が上方にスライドした状態を表した模式図であり、図２６（ｂ）は、図２６（ａ）の状態におけるワイヤ巻き取り装置２１０を斜め上方から眺めた拡大模式図である。
【図２７】本実施形態に係る体組成計収納キャビネットのスライド扉が上方にスライドした状態を表した模式図である。
【図２８】本実施形態に係る体組成計収納キャビネットの模式図であり、図２８（ａ）は、本実施形態に係る体組成計保持部の下降途中の状態を右側方から眺めた模式図であり、図２８（ｂ）は、図２８（ａ）に表した体組成計収納キャビネットにおけるワイヤ巻き取り装置を斜め上方から眺めた拡大模式図である。
【図２９】本実施形態に係る体組成計収納キャビネットの模式図であり、図２９（ａ）は、本実施形態に係る体組成計保持部が床面に対して水平方向の姿勢になった状態を表した模式図であり、図２９（ｂ）は、本実施形態に係る体組成計保持部の収納時のワイヤ巻き取り装置を斜め上方から眺めた拡大模式図である。
【図３０】本実施形態に係る体組成計保持部の収納時におけるワイヤ巻き取り装置を斜め上方から眺めた拡大模式図である。
【図３１】本発明の第４の実施形態に係る体組成計収納キャビネットを右側方から眺めた模式図である。
【図３２】本実施形態に係る体組成計収納キャビネットの扉が開いた状態を例示した模式図である。
【図３３】本実施形態の変形例に係る体組成計収納キャビネットの回転軸付近を右側方から眺めた拡大模式図である。
【図３４】本実施形態に係る体組成計収納キャビネットの模式図であり、図３４（ａ）は、本実施形態に係る体組成計収納キャビネットを右側方から眺めた模式図であり、図３４（ｂ）は、本実施形態に係る体組成計の固定機構を右側方から眺めた拡大模式図である。
【図３５】本実施形態の変形例に係る体組成計収納キャビネットの模式図であり、図３５（ａ）は、本実施形態の変形例に係る体組成計収納キャビネットを右側方から眺めた模式図であり、図３５（ｂ）は、本実施形態の変形例に係る体組成計の固定機構を右側方から眺めた拡大模式図である。
【符号の説明】
【０１５８】
１ 体組成計、  ２ 体組成計収納キャビネット、  ３ 扉、  ４ ボウル、  ５ 水栓、  ６ 手洗い器、  ８ 大便器、  ９ 温水洗浄便座装置、  １０ａ、１０ｂ、１０ｃ 側壁、  １２ 鏡、  １４ 窓、  １６ 棚板、  １８ ペーパーホルダ、  １９ トイレットペーパー、  ２０ 床面、  ３１ 体組成計保持部（パネル）、  ３２ ロック解除レバー、  ３２ｃ、３２ｄ 軸、  ３３ 回転軸、  ３４ 支持部材、  ３５ 収納ボックス、  ３６ スライドレール、  ３６ａ、３６ｃ レール孔、  ３６ｂ レール溝、  ３７ 取っ手、  ３８ 車輪、  ３９ 足、  ４０ 引出レール、  ４０ａ 固定側レール、  ４０ｂ 可動側レール、  ５０ 結果表示部、  ５１ 各種設定スイッチ、  ５２ａ、５２ｂ、５２ｃ、５２ｄ 電極板、  ５３ 操作スイッチ、  ５４ａ、５４ｃ つま先、  ５４ｂ、５４ｄ かかと、  ５５ 電池ボックス、  ５６ 電池ボックス蓋、  ５７ 電池、  ７１ ストッパ、  ７２ 開閉レバー、  ７３ 設置用足、  ７３ａ 接地面、  ７６、７７、７８ 歯車、  ７９ 軸、  ８１ ワイヤ、  ８２ プーリ、  ８３ 軸、  ８５ 回転軸、  ８６ 軸継手、  ８８ 押し棒、  １０６ 排水トラップ、  １０７ 配水管、  １０８ 止水栓、  １３１ 体組成計保持部（パネル）、  １３１ａ 前方側のパネル、  １３１ｂ 後方側のパネル、  １３２ 解除レバー、  １３３、１３３ａ、１３３ｂ、１３５ 軸、  １３７、１３７ａ 取っ手、  １３８ 車輪、  １４０ 引出レール、  １４２ 突起部、  ２０３ 扉、  ２０３ａ スライド扉、  ２０３ｂ 上段扉、  ２０４ 取っ手、  ２０５ 突起部、  ２０６ 押し棒、  ２１０ ワイヤ巻き取り装置装置、  ２１０ａ 突起部、  ２１０ｂ ゼンマイ、  ２１０ｃ ゼンマイ用ブレーキ、  ２１０ｅ 逆回転防止ブレーキ、  ２１１ 補助ハンドル、  ２１２ 巻き取り装置ブレーキ装置、  ２１２ａ 突起部、  ２１６ ワイヤ、  ２３１ 体組成計保持部（パネル）、  ２３１ａ 突起部、  ２３１ｂ 解除レバー押し棒、  ２３２ 閉用解除レバー、  ２３３ 軸、  ２３６ スライドレール、  ３０３ 扉、  ３０３ａ 保持面、  ３３３ 回転軸、  ３４１ 固定機構、  ３４１ａ 支持部材、  ３４１ｂ ローラ、  ３４５ 固定機構、  ３４５ｂ 伸縮棒、  ３７１ ストッパ、  ３７２ 回動ストッパ、  ３７２ａ 斜面、  ３７３ ステー、  ３７３ａ、３７３ｂ 支持部材、  ３７３ｃ、３７３ｄ、３７３ｅ 軸
【図１】
2009066349.tif 000003
【図２】
2009066349.tif 000004
【図３】
2009066349.tif 000005
【図４】
2009066349.tif 000006
【図５】
2009066349.tif 000007
【図６】
2009066349.tif 000008
【図７】
2009066349.tif 000009
【図８】
2009066349.tif 000010
【図９】
2009066349.tif 000011
【図１０】
2009066349.tif 000012
【図１１】
2009066349.tif 000013
【図１２】
2009066349.tif 000014
【図１３】
2009066349.tif 000015
【図１４】
2009066349.tif 000016
【図１５】
2009066349.tif 000017
【図１６】
2009066349.tif 000018
【図１７】
2009066349.tif 000019
【図１８】
2009066349.tif 000020
【図１９】
2009066349.tif 000021
【図２０】
2009066349.tif 000022
【図２１】
2009066349.tif 000023
【図２２】
2009066349.tif 000024
【図２３】
2009066349.tif 000025
【図２４】
2009066349.tif 000026
【図２５】
2009066349.tif 000027
【図２６】
2009066349.tif 000028
【図２７】
2009066349.tif 000029
【図２８】
2009066349.tif 000030
【図２９】
2009066349.tif 000031
【図３０】
2009066349.tif 000032
【図３１】
2009066349.tif 000033
【図３２】
2009066349.tif 000034
【図３３】
2009066349.tif 000035
【図３４】
2009066349.tif 000036
【図３５】
2009066349.tif 000037